(57)【要約】【構成】本発明が提供するのは遮蔽誘導子および遮蔽誘導子の製造方法である。遮蔽誘導子は導電性コイルを取り囲むコア本体、このコイルに電気的に連絡するリード部、およびコア本体の外面の少なくとも一部を被覆する遮蔽装置を有する。コア本体部分と遮蔽装置部分との間に絶縁材料を設層することができる。この遮蔽誘導子の製造方法も本発明要旨の一つである。【選択図】図４
2019516246.tif 000002
【特許請求の範囲】
【請求項１】
導電コイルを取り囲み、外面を有するコア本体、
この導電コイルと電気的に連絡し、かつ前記外面にそって延在する第１リード部および第２リード部、および
前記コア本体の前記外面の少なくとも一部に隣接してこれを被覆する導電材料を有する遮蔽装置を有することを特徴とする遮蔽誘導子。
【請求項２】
前記コア本体が上面、この上面に対向する底面、第１側面、この第１側面に対向する第２側面、正面、およびこの正面に対向する背面を有し、そして前記遮蔽装置が前記コア本体の前記上面の少なくとも一部および前記第１側面、第２側面、正面または背面のうちの一つの少なくとも一部を被覆する請求項１の遮蔽誘導子。
【請求項３】
さらに前記コア本体の少なくとも一部と前記遮蔽装置の少なくとも一部との間に絶縁層を有する請求項１の遮蔽誘導子。
【請求項４】
前記絶縁層を前記遮蔽装置の内面の少なくとも一部に設層した請求項３の遮蔽誘導子。
【請求項５】
前記絶縁層を前記コア本体の前記外面の少なくとも一部に設層した請求項３の遮蔽誘導子。
【請求項６】
前記遮蔽装置が、前記第１側面、第２側面、正面または背面のうちの一つにそって延在し、かつ前記コア本体の前記底面の少なくとも一部にそって延在する部分を少なくとも有する請求項２の遮蔽誘導子。
【請求項７】
前記遮蔽装置が、前記リード部のうちの少なくとも一つにアクセスできる少なくとも一つの開口を有する請求項１の遮蔽誘導子。
【請求項８】
前記遮蔽装置が、前記リード部のうちの一つの少なくとも一部を被覆する請求項１の遮蔽誘導子。
【請求項９】
前記リード部を前記コア本体の対向側面に設けた請求項２の遮蔽誘導子。
【請求項１０】
前記リード部を前記コア本体の同じ側面に設けた請求項２の遮蔽誘導子。
【請求項１１】
前記遮蔽装置が、前記コア本体の前記正面にそって少なくとも部分的に延在する第１側面カバー、および前記コア本体の前記背面にそって少なくとも部分的に延在する第２側面カバーを有する請求項１の遮蔽誘導子。
【請求項１２】
前記遮蔽装置が、前記コア本体の上面に隣接する上部カバー部を有する請求項１の遮蔽誘導子。
【請求項１３】
前記上面カバー部のサイズが、前記コア本体の前記上面の全体よりも小さい部分を被覆するサイズである請求項１２の遮蔽誘導子。
【請求項１４】
前記上面カバー部のサイズが、前記コア本体の前記上面の少なくとも一つの縁部を超えて延在するサイズである請求項１２の遮蔽誘導子。
【請求項１５】
前記コア本体が上面、この上面に対向する底面、第１側面、この第１側面に対向する第２側面、正面、およびこの正面に対向する背面を有し、そして前記遮蔽装置が前記第１側面または前記第２側面のうちの一つの外面の一部にそって延在する少なくとも一つの延在部、および前記正面および背面のうちの一つの外面の少なくとも一部にそって延在する少なくとも一つの延在部を有する請求項１の遮蔽誘導子。
【請求項１６】
前記遮蔽装置が、前記コア本体の前記第１側面、第２側面、正面および背面の外面にそって延在する延在部を有する請求項１５の遮蔽誘導子。
【請求項１７】
前記第１側面および前記第２側面の外面にそって延在する延在部が、前記正面および前記背面の外面にそって延在する前記延在部とは異なる長さを有する請求項１６の遮蔽誘導子。
【請求項１８】
前記遮蔽装置を銅から形成した請求項１の遮蔽誘導子。
【請求項１９】
導電性コイルを取り囲み、外面を有する誘導子コア本体を形成する工程、
この導電性コイルと電気的に連絡し、前記コア本体の外面にそって延在するリード部を設ける工程、
金属シートから遮蔽装置を形成する工程、および
前記コア本体の前記外面の少なくとも一部を前記遮蔽装置で被覆する工程を有する遮蔽誘導子の製造方法。
【請求項２０】
さらに、前記コア本体の少なくとも一部と前記遮蔽装置の少なくとも一部との間に絶縁層を設層する工程を有する請求項１９の製造方法。
【請求項２１】
前記遮蔽装置の内面の少なくとも一部へのコーティングとして前記絶縁層を設層する請求項２０の製造方法。
【請求項２２】
前記コア本体を前記遮蔽装置でカバーする前に、前記コア本体の外面の少なくとも一部に前記絶縁層を設層する請求項２０の製造方法。
【請求項２３】
前記遮蔽装置を打抜きまたは圧伸によって形成する請求項１９の製造方法。
【請求項２４】
前記の被覆工程が、さらに前記コア本体の底面にそって位置決めされる前記遮蔽装置の延在部を折り曲げる工程を有する請求項１９の製造方法。
【請求項２５】
前記コア本体が上面、この上面に対向する底面、第１側面、この第１側面に対向する第２側面、正面、およびこの正面に対向する背面を有し、そして前記遮蔽装置が前記コア本体の上面の少なくとも一部、および前記第１側面、第２側面、正面または背面のうちの一つの少なくとも一部を被覆する請求項１９の製造方法。
【発明の詳細な説明】
【技術分野】
【０００１】
本発明は電子部品の分野に関し、具体的には遮蔽誘導子（シールドされたインダクタ）および遮蔽誘導子の製造方法に関する。
【背景技術】
【０００２】
誘導子（インダクタ）は、一般的にはこれに流れる電流の変化に耐性を示す受動的な２端子電気部品である。誘導子はコイル状に巻かれたワイヤなどの導体を有する。コイルに電流が流れると、エネルギーがコイル内の磁場に一時的に蓄えられる。誘電子を流れる電流が変化すると、時変磁場がファラデーの電磁誘導則に従って導体の電圧を誘導する。磁場に基づいて動作する結果、誘導子は電場および磁場を発生でき、これらの電場/磁場は誘導子内の他の電子部品の性能に干渉妨害し、性能劣化の原因になる恐れがある。さらに、回路基板の電気部品から他の電場、磁場または静電電荷が誘導子の性能に干渉妨害し、性能劣化の原因になり得る。
【０００３】
一部の公知誘導子の場合、全体として磁性材料のコア体を有し、導体を内部に設け、場合によっては導体をコイルとして形成する。このような誘導子に対して磁気を遮蔽する試みがあるが、場合にもよるが、面倒であり、効率が悪く、製造が困難であるか、あるいは実効性に乏しい。例えば、大きな電磁遮蔽を使用して、回路基板上で遮蔽すべき大きなターゲット領域を被覆して感受性の高い部品を誘導子が発生する電磁放射線から保護することが行われている。この保護については、面倒な上に効率が悪い。このような遮蔽措置は、誘導子を遮蔽する電子装置内の重要な空間を占有する上に、放射線源での電磁放射線を抑制するものである。
【０００４】
このように、誘導子遮蔽は電磁場および他の電場からの干渉をブロックし、抑制し、あるいは制限する場合には有利に作用すると考えられる。
【０００５】
この場合、電磁場やその他の電場から遮蔽する誘導子用の効率が高く、実効的な上に製造が容易な遮蔽装置が必要である。
【０００６】
さらに、誘導子用の効率が高く、実効的な上に誘導子本体と比較してサイズが比例的な遮蔽装置が必要である。
【０００７】
さらに、誘導子用の効率が高く、実効的な上に誘導子本体内部においてスペースを取らない遮蔽装置が必要である。
【先行技術文献】
【特許文献】
【０００８】
【特許文献１】米国特許６，２０４，７４４
【発明の概要】
【０００９】
以下、本発明の誘導子（ｉｎｄｕｃｔｏｒ）および誘導子の製造方法を説明する。
【００１０】
本発明の一態様が提供する遮蔽誘導子（ｓｈｉｅｌｄｅｄ  ｉｎｄｕｃｔｏｒ）はコア本体、およびこのコア本体の表面の少なくとも一部を被覆またはカバーする遮蔽装置を有する。コア本体の少なくとも一部と遮蔽装置の少なくとも一部との間に場合に応じて絶縁材を設ける。
【００１１】
本発明のもう一つの態様が提供する遮蔽誘導子は導電性コイルを取り囲むコア本体、このコイルと電気的に連絡するリード部、およびコア本体の外面の少なくとも一部を被覆する遮蔽装置を有する。遮蔽装置については、全体がコア本体の形状に一致する相補的な形状に構成する。この遮蔽装置が、コア本体の露出部分を小さく抑えることによって電磁場からの保護を行う。
【００１２】
遮蔽装置は、全体としてコア本体の露出外面の少なくとも一部を被覆するカバー部を有する。このカバー部は、誘導子コア本体の一部にそって延在し、遮蔽および/または遮蔽装置の誘導子コア本体への固定を行う各種サイズの様々な延在部を有する。これら延在部を例示するとリップ部、側面カバー部および/またはタブ部がある。
【００１３】
本発明の誘導子は、コア本体と遮蔽装置との間に絶縁材を設けることができる。
【００１４】
本発明のもう一つの態様は、遮蔽誘導子の製造方法である。本発明の遮蔽誘導子の製造方法は、ワイヤコイルの周囲に磁性材料を圧力成形し、コア本体を形成するとともに、一つのコイルを形成するため巻かれたコイルを相互結合する工程、成形コア本体を被覆する形状にシートを打抜き形成することによって遮蔽装置を製造する工程、遮蔽装置をプレスされた粉体誘導子に設け、コア本体の露出された縁部を被覆する工程、および遮蔽装置に対向する誘導子の側面周囲にタブを形成し、遮蔽装置をコア本体に固定する工程を有する。本発明方法は、さらにコア本体と遮蔽装置との間に絶縁材を設層する工程、およびコア本体にゼロ個の、２個のあるいは４個のポケットを形成する工程を有することができる。
【図面の簡単な説明】
【００１５】
以下、添付図面を参照して本発明を詳細に例示する。
【００１６】
【図１Ａ】図１Ａは、本発明の遮蔽装置を一つ以上備えることができる実施例の誘導子を示す図である。
【図１Ｂ】図１Ｂは、本発明の遮蔽装置を一つ以上備えることができる実施例の誘導子を示す図である。
【図１Ｃ】図１Ｃは、本発明の遮蔽装置を一つ以上備えることができる実施例の誘導子を示す図である。
【図１Ｄ】図１Ｄは、本発明の遮蔽装置を一つ以上備えることができる実施例の誘導子を示す図である。
【図１Ｅ】図１Ｅは、本発明の遮蔽装置を一つ以上備えることができる実施例の誘導子を示す図である。
【図１Ｆ】図１Ｆは、本発明の遮蔽装置を一つ以上備えることができる実施例の誘導子を示す図である。
【図１Ｇ】図１Ｇは、本発明の遮蔽装置を一つ以上備えることができる実施例の誘導子を示す図である。
【図１Ｈ】図１Ｈは、本発明の遮蔽装置を一つ以上備えることができる実施例の誘導子を示す図である。
【図１Ｉ】図１Ｉは、本発明の遮蔽装置を一つ以上備えることができる実施例の誘導子を示す図である。
【図２Ａ】図２Ａは、本発明の一実施態様に従って構成した誘導子遮蔽装置の上部斜視図である。
【図２Ｂ】図２Ｂは、図２Ａの誘導子遮蔽装置を示す底部斜視図である。
【図２Ｃ】図２Ｃは、絶縁層を遮蔽装置の内面に設層した図２Ｂの誘導子遮蔽装置を示す図である。
【図２Ｄ】図２Ｄは、誘導子のコア本体に設けて遮蔽誘導子を形成した、図２Ｂまたは図２Ｃの誘導子遮蔽装置を示す図である。
【図２Ｅ】図２Ｅは、図２Ｄの遮蔽誘導子を示す上部平面図である。
【図２Ｆ】図２Ｆは、図２Ｄおよび図２Ｅの遮蔽誘導子を示す底部平面図である。
【図２Ｇ】図２Ｇは、図２Ｄの遮蔽誘導子のリード部を外した誘導子の側面を示す側面図である。
【図２Ｈ】図２Ｈは、図２Ｄの遮蔽誘導子のリード部を有する誘導子の側面を示す側面図である。
【図２Ｉ】図２Ｉは、誘導子のコア本体の少なくとも一部に絶縁材をコーティングした、図２Ａの誘導子を示す図である。
【図３Ａ】図３Ａは、リード部の中間点の間に引いた直線にそって見た図２Ｄの遮蔽誘導子を示す横断面図である。
【図３Ｂ】図３Ｂは、遮蔽装置の側部カバーの中間点の間に引いた直線にそって見た図２Ｄの遮蔽誘導子を示す横断面図である。
【図４】図４は、例えば回路基板の半田パッドにリード部および遮蔽タブが接触している状態を示す、図２Ｄの遮蔽誘導子を示す図である。
【図５Ａ】図５Ａは、本発明に従って構成した誘導子遮蔽装置の一実施態様を示す底部斜視図である。
【図５Ｂ】図５Ｂは、絶縁層を遮蔽装置の内面に設層した図５Ａの誘導子遮蔽装置を示す図である。
【図５Ｃ】図５Ｃは、誘導子のコア本体に設けて遮蔽誘導子を形成した図５Ａまたは図５Ｂの誘導子遮蔽装置を示す図である。
【図５Ｄ】図５Ｄは、例えば回路基板の半田パッドにリード部および遮蔽タブが接触している状態を示す、図５Ｂの遮蔽誘導子を示す図である
【図６Ａ】図６Ａは、本発明に従って構成した誘導子遮蔽装置の一実施態様を示す上面斜視図である。
【図６Ｂ】図６Ｂは、図６Ａの誘導子遮蔽装置を示す底面斜視図である。
【図６Ｃ】図６Ｃは、絶縁層を遮蔽装置の内面に設層した図６Ｂの誘導子遮蔽装置を示す図である。
【図６Ｄ】図６Ｄは、誘導子のコア本体に設けて遮蔽誘導子を形成した図６Ｂまたは図６Ｃの誘導子遮蔽装置を示す図である。
【図７Ａ】図７Ａは、本発明に従って構成した誘導子遮蔽装置の一実施態様を示す上面斜視図である。
【図７Ｂ】図７Ｂは、図６Ａの誘導子遮蔽装置を示す底面斜視図である。
【図７Ｃ】図７Ｃは、絶縁層を斜視部の内面に設層した図６Ｂの誘導子遮蔽装置を示す図である。
【図８】図８は、誘導子のコア本体に設けて遮蔽誘導子を形成した誘導子遮蔽装置の一実施態様を示す図である。
【図９】図９は、本発明の遮蔽誘導子の製造方法を示す図である。
【図１０Ａ】図１０Ａは、本発明の遮蔽誘導子の基礎を形成するために使用することができる構成を有する公知誘導子の実例を示す図である。
【図１０Ｂ】図１０Ｂは、本発明の遮蔽誘導子の基礎を形成するために使用することができる構成を有する公知誘導子の実例を示す図である。
【発明を実施するための形態】
【００１７】
以下の説明で使用する用語は便宜的なもので、限定を意図するものではない。用語“右”、“左”、“上”や“下”は参照すべき添付図面における方向を示すものである。特許請求の範囲および明細書の対応する部分における単数表現は、特に断らない限り、一つかそれ以上の参照部分を含むものである。本明細書では、これらの用語は同義語などを含むものである。２つかそれ以上の“Ａ、ＢまたはＣ”などの個々の単位の前の“少なくとも一つの”はＡ、ＢまたはＣそれぞれが単独の場合を示すこともあり、あるいはこれらの任意の組み合わせを意味することもある。
【００１８】
図１Ａ−図１Ｉに、本発明の遮蔽誘導子の基礎となり得るいくつかの誘導子の実例を示す。これら誘導子それぞれはコア本体１１５をもつコア１１０、内部誘導コイル、および内部誘導コイルと電気的に連絡する外部リード部１２０を有する。
【００１９】
本発明の遮蔽誘導子に使用することができるか、あるいは本遮蔽誘導子の基礎となり得る誘導子は、ＵＳＰ６，２０４，７４４（全体をここに援用するものとする）に記載されているように、高電流薄型の誘導子である。全体として図１０Ａおよび図１０Ｂに示すように、高電流薄型誘導子はコア本体１４、およびコア本体１４内に内側コイル端部および外側コイル端部を有するワイヤコイルを備え、このワイヤコイル２４がコア本体内１４に複数の巻き線３０を有する。第１粉体鉄および第２粉体鉄などの磁性材料、充填材、樹脂および潤滑材がワイヤコイルを完全に取り囲み、コア本体１４を形成する。内側コイル端部および外側コイル端部にそれぞれ接続した第１リード部および第２リード部が磁性材料コアを通って誘導子の外部まで延在する。
【００２０】
本発明の誘導子遮蔽装置に使用することができるいくつかの誘導子および/または誘導子コアを図１Ａ−図１Ｉに示す。各誘導子はコア本体１１５を有するコア１１０を備える。図１Ａ−図１Ｉに示す方向において、各コア本体１１５は上面３００、これに対向する底面３０２、正面３０４、これに対向する背面３０３（背面３０３は正面３０４の鏡像といってもよい）、右側面３０８および左側面３１２（左側面３１２は右側面３０８の鏡像といってもよい）を有する。コイルまたはワイヤなどの内部誘導素子と電気的に連絡する端子１２０を設ける。リード部１２０は右側面３０８に隣接する第１端子１２０ａ、および左側面３１２に隣接する第２端子１２０ｂを有する。端子１２０ａ、１２０ｂの方向は誘導子をどのように使用または適用するかに応じて決めればよく、添付図面に示すように各種の形状をとることもでき、リード部をより広く、かつより狭くすることができる。
【００２１】
リード部１２０については、誘導子のコア本体の両側に設けているが、コア本体の同じ側に設けることも可能である。さらに、複数のリード部をコア本体の各面にそって延在させてもよく、遮蔽装置がこれらリード部の一部を被覆してもよく、リード部が被覆されないように大きさおよび構成を設定することも可能である。このような構成については、以下に詳しく説明する。
【００２２】
図２Ａ−図２Ｄに、本発明の一実施態様に従って電磁干渉および/または静電干渉や他の電場からの干渉を遮断、制限および/または抑制する遮蔽装置５００を示す。この遮蔽装置５００はカバー部４６０を有し、カバー部４６０の各隅または各縁部に切り欠き５１０、５２０、５３０、５４０を設ける。
【００２３】
遮蔽装置５００については、薄い銅シートを誘導子のコア本体１１５を被覆する形状に型押し（ｓｔａｍｐｉｎｇ）および形成することによって製作するのが好ましい。また、圧伸（ｄｒａｗｉｎｇ）によっても製作可能である。シールド部５００には鋼やアルミなどの導電性材料も使用可能である。各種導電材料を併用することも可能である。一種類の導電材料から製作する場合、遮蔽装置は“導電性遮蔽装置”と呼ぶことができる。
【００２４】
添付の各図面に示すように、遮蔽装置５００については参照符号４２０で示す側面カバーを有し、具体的にはカバー部４６０から延在する第１側面カバー４２０ａおよび第２側面カバー４２０ｂを有する。第１側面カバー部４２０ａおよび第２側面カバー部４２０ｂは、誘導子コア本体に設けたときに、コア本体１１５の対向する正面３０４および背面３０６、即ちリード部１２０ａ、１２０ｂによって占められていないコア本体１１５の側面に位置する。一実施態様では、側面カバー４２０は遮蔽装置５００が固定されることになる誘導子コア本体の全幅未満の幅にそって延在し、側面カバー４２０の外縁はカバー部４６０の隣接する切り欠き縁部５１０、５２０、５３０、５４０が始まるところで延在を止める。一つの実施態様では、側面カバー４２０には、側面カバー４２０の最大直径部分から側面カバー４２０の上部に隣接する側面カバー４２０のより小さい直径部分に至る段差２０５を設けることができる。
【００２５】
遮蔽装置５００にはさらに、全体を参照符号４４０（個別的には４４０ａ、４４０ｂ）で示すリップ部を設けることができる。リップ部４４０ａ、４４０ｂはコア本体１１５の対向側面に設ける。これらリップ部４４０ａ、４４０ｂについては、リード部１２０によって占められるコア本体１１５の側面に位置するのが好ましい。リップ部４４０ａ、４４０ｂは一部がコア本体１１５の側面にそって好ましくはコア本体１１５の側面の半分未満程度延在してもよく、あるいは側面の高さにそって延在していてもよく、このように構成するとコア本体１１５から延在するリード部分１２０と干渉することがなくなる。一つの実施態様では、リップ部４４０は、遮蔽装置５００が固定されることになる誘導子の全幅未満の幅にそって延在し、リップ部４４０の外縁はカバー部４６０の切り欠き縁部５１０、５２０、５３０、５４０が始まるところで延在を止める。
【００２６】
また、遮蔽装置５００については、各側面カバー４２０から突出する、好ましくは各側面カバー４２０の中心部分から突出する一つかそれ以上のタブ（全体を参照符号４３０、個別には４３０ａ、４３０ｂで示す）を有するのが好ましい。各タブ４３０については、遮蔽装置５００を誘導子のコア本体に固定したさいに全体がＬ形構成とするのが好ましく、第１部分がコア本体１１５の側面にそって底面３０２に向かって延在し、そして第２部分がコア本体１１５の下で折り曲げられ、底面３０２の一部にそって延在する。
【００２７】
例えば、タブ４３０は遮蔽装置の接地に使用することができる。なお、本発明の遮蔽誘導子は接地することなく使用することも可能である。さらに、タブ４３０はコア本体から離れて折り曲げ、コア本体から離間する延在脚部をもつように構成できる。
【００２８】
図２Ａ−図２Ｄに示すように、遮蔽装置５００はカバー部４６０を有し、このカバー部はコア本体１１５の上面に位置し、これを全体として被覆する。好適な実施態様では、カバー部４６０はコア本体１１５の上面３００の全面を、あるいはその大半を被覆するが、このカバー部４６０はコア本体１１５の上面３００の全面、ほぼ全面、あるいは一部のみを被覆することも可能である。さらに、カバー部４６０はコア本体の上面３００の縁部を超えて延在してもよく、またコア本体の上面３００の面積よりも長くかつ広くてもよい。カバー部４６０については、コア本体１１５の上面３００と同様な寸法の領域を被覆する薄い壁として形成し、縁部５１０、５２０、５３０、５４０を切り取るか、切り欠くか、角度をつけるか、あるいは面取りした全体として長方形として形成するため、延在部分４４０、４２０、４３０を製造プロセス時や組み立てプロセス時に干渉することなく折りたたむことができ、あるいは折り曲げることができる。
【００２９】
図２Ｂは、適宜使用する絶縁層４１０を内面に設層する前の状態にある図２Ａの遮蔽装置と同じ構成の本発明の遮蔽装置５００の一例を示す図である。この遮蔽装置５００は、添付の各図面に示す方向に誘導子の上面、即ち露出上部を被覆するカバー部４６０を有する。この遮蔽装置は第１側面４２０ａおよび第２側面４２０ｂを有する。図２Ｂは、遮蔽装置５００の各部の相対的な寸法を示す図である。遮蔽装置５００の各部については、遮蔽すべき基礎となる誘導子コア本体の形状を補完する形で構成することができる。例えば、遮蔽装置５００は一体となった銅シートから形成すればよく、当業者ならば、他の材質を利用できることを知悉しているはずである。
【００３０】
図２Ｂに示すように、側面カバー４２０ａ、４２０ｂは近似幅Ｓを有し、この幅はカバー部４６０の隣接切り欠き縁部５１０、５２０、５３０、５４０の間に延在する。幅Ｓは、遮蔽装置５００によって遮蔽すべき基礎となる誘導子コア本体の幅未満である。側面カバー４２０ａは高さＺ１を有し、この高さは基礎となる誘導子コア本体の高さの少なくとも一部である。タブ４３０ａ、４３０ｂは高さＺ０を有するため、基礎となる誘導子コア本体の高さにそって少なくとも部分的に延在でき、かつ基礎となる誘導子コア本体の底面３０２にそって少なくとも部分的に折り曲げられ、延在する。タブ４３０ａ、４３０ｂは幅Ｙを有し、この幅については側面カバー４２０の幅Ｓ未満であることが好ましい。
【００３１】
図２Ｂに示すように、タブ４３０ａの両側にある側面カバー４２０ａの各部の幅は記号Ｘ、Ｘ´で示す。図２Ｃに示すように、タブ４３０ａはほぼ中心にあり、幅Ｘ、Ｘ´はタブ４３０ａのいずれの側においてもほぼ等しい。なお、タブ４２０の場合、側面カバー４２０の幅にそって各種の位置に延在することができ、一方の側または他方の側に向かってより偏倚してもよい。即ち、ＸおよびＸ´については、構成配置において等しくなくてもよい。
【００３２】
リップ部４４０ａ、４４０ｂのカバー４６０の隣接切り欠き縁部５１０、５２０、５３０、５４０の間に広がる近似的な幅はＷ´で示すことができる。この幅Ｗ´は遮蔽装置が遮蔽する下部基礎となる誘導子コア本体の幅未満である。図２Ｂに示すように、リップ部４４０ａ、４４０ｂの高さはＺ２で示し、この高さは一つの実施態様では側面カバー部４２０の高さＺ１またはＺ０未満である。
【００３３】
適宜使用する絶縁層４１０については、コア本体１１５の少なくとも一部と遮蔽装置５００の少なくとも一部との間に設層する。図２Ｃは、遮蔽装置５００の内面５０５に絶縁層または絶縁コーティングを有する図２Ｂの遮蔽装置を示す図である。この絶縁層４１０については、例えばＫＡＰＴＯＮTMやＴＥＦＬＯＮTMなどの絶縁材で構成すればよく、あるいは絶縁テープ、ＮＯＭＥＸTM、シリコーンやその他の絶縁材も既に公知なように使用可能である。
【００３４】
絶縁層４１０は、誘導子のコア本体１１５から遮蔽装置５００を電気的に分離する作用を示す。絶縁層４１０は、遮蔽装置の内面５０５の少なくとも一部をカバーするが、遮蔽装置の内面５０５の全体をカバーするのが好ましい。なお、絶縁層４１０の厚みについては、基礎となるコア本体の構成、形状および/または材質に応じて、また遮蔽誘導子の用途および/または性能に応じて変更可能である。
【００３５】
図２Ｃの場合、絶縁層４１０を遮蔽装置５００の内面５０５に設層しているが、他の方法で絶縁層４１０はコア本体１１５と遮蔽装置５００との間に設けることも可能である。例えば、図２Ｉに示すように、絶縁材から形成した絶縁像４１０でコア本体１１５の少なくとも一部をコーティングできる。図２Ｉでは、絶縁層４１０はコア本体１１５の上面３００にそって、かつ上面３００に隣接するコア本体の側面の一部にそって設層している。絶縁層４１０については、具体的な遮蔽誘導子の用途や性能に関する仕様および/または要件を満足するように、本発明に従って誘導子のコア本体１１５の所定部分にそって設層できる。
【００３６】
遮蔽装置については圧粉成型誘導子のコア本体１１５の上部に置き、誘導子の露出上面、縁部および側面の部分を銅から構成できる遮蔽装置でカバーするとともに、誘導子の周囲かつその下に形成したタブ４３０でカバーし、遮蔽装置を誘導子に締め付ける。図２Ｄでは、カバー部４６０がコア本体１５の上面３００として示す部分に隣接した状態で遮蔽装置５００を位置決めする。遮蔽装置５００がコア本体１１５の上面３００のカバーを形成し、かつ少なくとも一つかそれ以上の延在部（例えば上記リップ部４４０、側面カバー４２０および/またはタブ部４３０）を有する。これら延在部はコア本体１１５の正面、背面および/または側面の一つかそれ以上にそって延在する。遮蔽装置については、図２Ｃに示すように絶縁層４１０を設層してもよく、あるいは図２Ｂに示すように設層しなくてもよい。
【００３７】
組み立て後は、図２Ｄに示す本発明の一実施態様では、遮蔽装置５００がコア本体１１５の部分を以下に示す通りにカバーする。即ち、（ｉ）カバー部４６０がコア本体１１５の既に露出している部分の上面３００の大半をカバーし、（ｉｉ)第１側面カバー４２０ａおよび第２側面カバー４２０ｂがコア本体１１５の非リード側面の部分３０４、３０６をカバーし、（ｉｉｉ）リップ部４４０がコア本体１１５の対向側面３０８、３１２下方に延在し、タブ４３０が側面カバー４２０から延在し、コア本体１１５の下を包み込み、遮蔽装置５００を所定部分に保持するか、あるいはその他の手段で遮蔽装置５００をコア本体１１５に固定する。
【００３８】
図２Ｅは、遮蔽装置５００を所定部分に保持した状態にある図２Ｄの遮蔽誘導子の一例を示す上面図である。図示の遮蔽装置５００は、コア本体１１５の上面３００の形状に少なくとも一部が本質的に一致するか、あるいは補完的な形状を有する。即ち、遮蔽装置５００のサイズおよび形状については、少なくとも部分的にコア本体１１５の外面に密接係合し、本発明の遮蔽誘導子を形成するように設定する。最初に遮蔽装置５００を平坦なシートとして形成する場合には、コア本体周囲に折り曲げたときに、均一かつ実質的に滑り嵌めするように形状およびサイズを設定する。図示のように、遮蔽装置５００のカバー部４６０は全体として矩形であり、縁部５１０、５２０、５３０、５４０を切り欠くか、あるいは切りこみを入れた正方形であればよい。
【００３９】
図２Ｆは、誘導子１００の一例を示す底面図である。図２Ｆに示すように、コア本体１１５の底面は全体として露出している。即ち、カバーされていない。リード部１２０については、誘導子１００の両側において、かつ遮蔽装置５００のリップ部４４０と同じ側においてコア本体１１５の下で折り曲げる。側面カバー４２０から延在するタブ部４３０については、コア本体１１５の下で折り曲げ、底面３０２に対して位置決めする。
【００４０】
タブ部を誘導子コア本体の下に折り曲げた遮蔽誘導子の実施態様を添付図面を参照して説明してきたが、本発明ではこのようなタブ部を使用しない誘導子用遮蔽装置も形成することができる。
【００４１】
図２Ｇは、誘導子１００の一例を示す正面図である。この正面図は背面図と鏡像関係にある。図２Ｇに示すように、遮蔽装置５００はコア本体１１５の上部にある。図示の対向関係にある第１リード部１２０ａおよび第２リード部１２０ｂ（コア本体１１５の内部において誘導子コイルから延在している）は、誘導子１００の対向外側面にそって延在する。さらに、第１リード部１２０ａおよび第２リード部１２０ｂは誘導子１００の下が部分的に折り曲げられ、底面３０２の少なくとも一部にそって延在し、表面実装素子（ＳＭＤ）を形成する。
【００４２】
図２Ｈは、誘導子１００の一例を示す右側面図であり、対向側部とは鏡像関係にある。図２Ｈに示すように、遮蔽装置５００はコア本体１１５の上面３００をカバーする。コア本体１１５は図示の誘導子１００の実質的に中心にある。遮蔽装置５００は誘導子１００の側面（図２Ｈにおける左右側面）にそって下向きに延在する側面カバー４４０ａ、４４０ｂを有し、かつ折り曲げられてコア本体１１５の底面３０２の下を包み込み、コア本体１１５の底面３０２を少なくとも部分的にカバーするタブ部４３０を有する。リップ部４４０がコア本体１１５の側面（図２Ｄの正面図に示すように）そって部分的に下向きに延在する。
【００４３】
図３Ａは、図２Ｄに示す遮蔽誘導子を示す横断正面図であり、２つの対向側面カバーリップ部４４０ａ、４４０ｂとリード部１２０ａ、１２０ｂとの中間点における横断面を示す図である。図３Ａに示すように、遮蔽装置５００はコア本体１１５の上面３００に設けられ、リップ部４４０がコア本体１１５の側面に延在している。リード部１２０は側面にそってコア本体１１５の下に延在する。コア本体１１５内にコイル３１０を収容する。上記のように、コイル３１０はワイヤコイル（例えば図１０Ｂのコイル２４）であればよく、コア本体１１５内に内側コイル端部および外側コイル端部を有する。ワイヤコイルはコア本体１１５内に複数の巻き線（例えば図１０Ｂに示す巻き線３０）を有する。既に説明したように、タブ部４３０がコア本体１１５の下に巻き付いている。
【００４４】
図３Ｂは、図２Ｄに示す遮蔽誘導子を示す横断正面図であり、２つの対向側面カバーリップ部４４０ａ、４４０ｂの中間点における横断面を示す図である。図３Ｂに示すように、遮蔽装置５００はコア本体１１５の上面３００に設けられ、コア本体１１５の側面にそって底面３０２の下に延在する。図３Ｂに示すように、リード部１２０のうちの一つの一部がコア本体１１５の下で折り曲げられ、他のリード部１２０の一部が反対側においてコア本体１１５の下で折り曲げられている。コイル３１０がコア本体１１５内に収容されている。遮蔽装置５００が誘導子１００の側面にそって下に（図３Ｂの左右に）延在する側面カバー、およびコア本体１１５の部分を少なくとも部分的にカバーする誘導子１００の底面３０２の下に巻き付くタブ部４３０を有する。
【００４５】
図４は、実装され、かつ第１セットの半田パッド９００および第２セットの半田パッド９１０に接触する図２Ｄの遮蔽誘導子を示す図である。第１セットの半田パッド９００がタブ部４３０を介して遮蔽装置５００に電気的に接続し、電気的に接地することになる。第２セットの半田パッド９１０はリード部１２０に電気的に接続する。
【００４６】
図５Ａおよび図５Ｂは、本発明に従って構成した遮蔽誘導子の別な実施態様を示す図である。この実施態様では、図２Ａ−図２Ｄの実施態様の切り欠き縁部ではなく、遮蔽装置６００に周辺リッジ部を設ける。このリッジ部は遮蔽装置６００の上部全体に広がり、リップ部４４０および側面カバー部４２０を有し、これら部分４４０および４２０が交差会合する。従って、遮蔽装置６００はカバー部４６０の各縁部に複数の密閉隅部６１０、６２０，６３０、６４０を有する。このため、図５Ａおよび図５Ｂの実施態様は、遮蔽装置６００を取り付ける基礎コア本体１１５にジャストフィットすることになるカバー部４６０を有する密閉蓋６１５を構成する。他の態様に関しては、遮蔽装置６００は既に説明した遮蔽装置と同様である。即ち、遮蔽装置６００は、リード部のないコア本体１１５の側面を遮蔽するように構成された第１側面カバー４２０ａおよび第２側面カバー４２０ｂを有する。第１タブ４３０ａおよび第２タブ４３０ｂが側面カバー４２０から延在し、これらタブ４３０があるため、組み立て時に、コア本体１１５の周囲かつコア本体１１５の下に折り曲げられ、コア本体１１５に遮蔽装置６００を保持することが可能になる。また、密閉隅部６１０、６２０、６３０、６４０があるためトレランスをより厳格にでき、コア本体１１５への遮蔽装置６００の嵌合が可能になる。
【００４７】
図５Ｂは、絶縁材料から形成した絶縁層４１０を設層した遮蔽装置６００の内面６０５を示す図である。なお、この絶縁層４１０については、遮蔽装置６００をコア本体に取り付ける前にコア本体の少なくとも一部にも設層可能である。図５Ｃは、図５Ａまたは図５Ｂの遮蔽装置６００を誘導子のコア本体１１５に実装し、遮蔽誘導子を形成したことを示す図である。図５Ｄは、実装され、第１セットの半田パッド９００および第２セットの半田パッド９１０に接触する図５Ｃの遮蔽誘導子を示す図である。第１セットの半田パッド９００がタブ部４３０を介して遮蔽装置６００に電気的に接続し、遮蔽装置を接地することが可能になる。第２セットの半田パッド９１０はリード部１２０に電気的に接続する。      
【００４８】
図６Ａおよび図６Ｂは、本発明に従って構成した遮蔽誘導子の別な実施態様を示す図である。この実施態様では、遮蔽装置７００は側面カバー部４２０、７４０を有し、これらカバー部は全体として高さが同じで、隅部または縁部７２０で接合し、“ボックス型”の蓋７１５を形成する。このような遮蔽装置は、誘導子コア本体を受け取る開口をもつ形状にプレスしたフラットシートなどを用いる圧伸成形によって形成することができる。図６の実施態様に示すように、側面カバー部７４０がコア本体の側面にある誘導子のリード部１２０を被覆し、これは例えば以下に説明する図８に示す実施態様における切り欠きとは対照的である。図６Ｃは、絶縁材料から形成した適宜使用する絶縁層４１０を設層した遮蔽装置７００の内面７０５を示す図である。あるいは、遮蔽装置７００をコア本体の所定位置に設ける前に、コア本体１１５の少なくとも一部に絶縁層を設層してもよい。図６Ｄは、誘導子のコア本体１１５に実装し、遮蔽誘導子を形成した図６Ｂまたは図６Ｃの遮蔽装置７００を示す図である。図６Ｄに示すように、図６Ａ−図６Ｄの遮蔽装置の場合、リップ部７４０に隣接する遮蔽装置の下にあるリード部のサイズに対処できるように構成する必要がある。
【００４９】
図７Ａ−図７Ｃは、本発明に従って構成した遮蔽誘導子の別な実施態様を示す図である。この実施態様の場合、遮蔽装置８００はリップ部４４０を有し、これらリップ部は中心部分で高さが低い。さらに遮蔽装置８００は隅部において側面カバー部４２０に隣接し、かつこれらに会合する下向きに延在する狭い側壁８４５を有する。この構成が、遮蔽装置とともにリード部１２０を有するコア本体１１５の側面のフレームになる。図７Ｃに、絶縁層４１０を設層した遮蔽装置８００の内面８０５を示す。あるいは、遮蔽装置８００をコア本体の所定位置に形成する前に、コア本体１１５の少なくとも一部に絶縁層を設けることも可能である。
【００５０】
図８は、遮蔽装置９９０をコア本体１１５に設け、本発明に従って構成した遮蔽誘導子を示す図である。遮蔽装置９９０は図６Ａ−図６Ｄの遮蔽装置と実質的に同じで、さらにリード部１２０の周囲に窓または切り欠き８１０を有する。このため、リード部が露出し、リード部の少なくとも一部にアクセスできる。なお、本発明の遮蔽装置のいずれにもリード部１２０にアクセスできる切り欠きを設けることも可能である。図８に示す遮蔽誘導子の場合、既に説明したように、コア本体の少なくとも一部と遮蔽装置の少なくとも一部との間に絶縁層を形成することができ、例えばコア本体に直接設層してもよく、遮蔽装置の内面やその他に設層してもよい。
【００５１】
図９は、遮蔽装置を誘導子、または誘導子のコア本体に実装する方法１０００を示すフロー図である。この方法１０００では、ＵＳＰ６，２０４，７４４に記載され、かつ図１０Ａおよび図１０Ｂに図示されているような高電流薄型誘導子（ＩＨＬＰ）などの誘導子を製造する。図１Ａ−図１Ｉに図示されている任意の誘導子やその他の公知の誘導子も使用可能である。全体としては、本発明の一実施態様に従って遮蔽誘導子を形成する方法では、圧力、熱および/または化学薬品を使用してワイヤコイルの周囲に磁性材料を加圧成形し、コア本体１１５を形成するとともに、巻かれたコイルを相互に結合しコイル３１０を形成する。
【００５２】
誘導子のコア本体は、コア本体内に一つかそれ以上のポケットを形成する打抜き法によって形成することができる。誘導子については、粉体鉄コア内に４個のポケットを形成するパンチを使用して製造するのが好ましい。これら４個のポケットの目的は、誘導子内において表面実装リード部を垂直方向に（上部から底部まで）高く設定することにある。あるいは、ポケットを形成せずに誘導子を製造してもよい。
【００５３】
上記方法１０００はさらに工程１０１０を有し、この工程で誘導子本体を被覆する形状にシートを型押し成形して本発明の遮蔽装置を製造する。製造する遮蔽装置には薄い銅壁を形成してもよく、あるいは遮蔽装置を別な導電性材料から構成してもよい。なお、用途や遮蔽装置の形状や設計にもよるが、遮蔽装置や遮蔽装置の一部については導電性金属シートを圧伸成形して所定の遮蔽装置形状を形成することも可能である。
【００５４】
工程１０２０に示すように、誘導子のコア本体と遮蔽装置との間に適宜絶縁材料の接着層を設層することができる。一つの実施態様では、例えばＫＡＰＴＯＮTMやＴＥＦＬＯＮTMなどの絶縁材の薄い絶縁層を遮蔽装置の内面に設層し、工程１０２０で遮蔽装置を誘導子のコアから電気的に分離する。絶縁材の絶縁層を有する被覆された遮蔽装置の内面は、全体として組み立て後の誘導子に近接する遮蔽装置の側面になるが、絶縁材を遮蔽装置の任意の部分に設層しても同様な作用効果が得られる。あるいは、絶縁層をコア本体の表面の少なくとも一部に直接設層してもよい。さらに、コア本体の一部と遮蔽装置の一部との間に絶縁テープを貼着してもよい。
【００５５】
上記方法１０００はさらに工程１０３０を有し、この工程で遮蔽装置をプレスした粉体コア本体に設け、誘導子コア本体の外面の所定エリアを被覆する。
【００５６】
遮蔽装置の位置決め後、上記方法１０００はさらに工程１０４０を有し、この工程で遮蔽装置の延在部分（タブおよび/または側面カバー部など）を誘導子コア本体の側面および/または底面の周囲に形成し、遮蔽装置を誘導子コア本体に締め付ける。
【００５７】
電気的に接地することができる遮蔽装置を本明細書の記載に従って構成すると、遮蔽装置と誘導子が結合し、一つのパッケージになり、遮蔽装置が誘導子のコア本体外面の少なくとも一部を被覆できる。本発明の遮蔽誘導子の場合、電子素子内部の誘導子を遮蔽するために必要なスペースを抑制でき、また電磁放射線あるいは他の電場や磁場からの干渉をその源で抑制できる。本発明遮蔽装置は、従来問題をより簡単で一般的に、かつより費用対効果高く解決できる。
【００５８】
各種形状およびサイズの遮蔽装置を説明してきたが、遮蔽装置については、誘導子のコア本体外面の任意の目的部分を被覆できるようにその形状およびサイズは変更することができる。本発明の遮蔽誘導子については、図示の通り誘導子コア本体の上面、側面および底面の部分を被覆しているが、コア本体の所定面のみを被覆するように形成することも可能である。例えば、誘導子遮蔽装置の場合、上面の全面積よりも小さく被覆してもよく、側面カバー部分あるいはタブはなくてもよく、コア本体の一側面の下に延在する一つの側面カバー部分のみを被覆してもよく、あるいはコア本体の下に延在する一つのタブを被覆してもよい。即ち、遮蔽装置のサイズおよび被覆面積については、具体的な遮蔽誘導子の用途や仕様に応じて変更できる。用途や条件が異なると、遮蔽装置によって被覆すべき任意の面積を増減する必要がある。
【００５９】
なお、コア本体については、遮蔽装置の一つかそれ以上の部分に対処するため、くぼみやチャネルを形成することができる。即ち、遮蔽装置の一つかそれ以上の部分をコア本体の外面にそってくぼんだ領域内に位置決めすることができる。
【００６０】
遮蔽体と誘導子との間に絶縁材を介在させると、遮蔽誘導子の最大動作電圧が大きくなる。本発明の遮蔽誘導子の場合、同様な設計の未遮蔽誘導子と比較すると、放射磁場強度および磁場のサイズが５０％低下する。本発明の遮蔽誘導子の場合、２００ＶのＤＣ誘電電圧に耐えることが可能である。
【００６１】
本発明の遮蔽誘導子は、回路内の電磁場外乱が問題になる電子用途や衝撃および振動が問題になる電子用途に使用可能である。また、本発明遮蔽誘導子は、電磁場放射が潜在的に装置の性能を妨害および/または性能に悪影響を与える恐れがある電子素子、および耐衝撃性および耐振動性が必要な電子用途に使用することができる。本発明に従って誘導子に使用する遮蔽装置は、誘導子によって発生する場からの電気成分を遮断し、そしてさらに隣接する電気成分によって発生する場から誘導子を遮断する。
【００６２】
本発明技術の具体的な実施態様の上記説明は例示のみを目的とし、本発明を徹底的に説明するものではなく、あるいは本発明を開示された正確な形態に限定するものでもなく、以上の開示に照らして数多くの態様で本発明を実施できる。以上の実施態様については、本発明技術の原理およびその適用範囲の最善の説明を与えるために選択し、かつ記載したものであり、これによって当業者ならば本発明技術を最善の形で適用でき、意図する具体的な用途に応じて各種の変更を実施できるはずである。また、本発明の範囲は、特許請求の範囲に記載した範囲およびこれと等価な範囲によって定義できるものである。
【符号の説明】
【００６３】
１１０  コア
１１５、１４  コア本体
１２０  外部リード部、端子
１２０ａ  第１端子
１２０ｂ  第２端子
３０  巻き線
３００  上面
３０２  底面
３０３  背面
３０４  正面
３０８  右側面
３１２  左側面
３１０  コイル
４１０  絶縁層
４２０  側面カバー  
４２０ａ  第１側面カバー
４２０ｂ  第２側面カバー部
４３０、４３０ａ、４３０ｂ  タブ
４４０、４４０ａ、４４０ｂ  リップ部
４６０  カバー部
５００  遮蔽装置、シールド部
５１０、５２０、５３０、５４０  切り欠き
６００  遮蔽装置
６１０、６２０，６３０、６４０  密閉隅部
７００  遮蔽装置
７０５  遮蔽装置の内面
７１５  蓋
７４０  側面カバー部
８００  遮蔽装置
８０５  遮蔽装置の内面
８１０  窓または切り欠き
９００  第１セットの半田パッド
９１０  第２セットの半田パッド
９９０  遮蔽装置
【図１Ａ】
2019516246.tif 000003
【図１Ｂ】
2019516246.tif 000004
【図１Ｃ】
2019516246.tif 000005
【図１Ｄ】
2019516246.tif 000006
【図１Ｅ】
2019516246.tif 000007
【図１Ｆ】
2019516246.tif 000008
【図１Ｇ】
2019516246.tif 000009
【図１Ｈ】
2019516246.tif 000010
【図１Ｉ】
2019516246.tif 000011
【図２Ａ】
2019516246.tif 000012
【図２Ｂ】
2019516246.tif 000013
【図２Ｃ】
2019516246.tif 000014
【図２Ｄ】
2019516246.tif 000015
【図２Ｅ】
2019516246.tif 000016
【図２Ｆ】
2019516246.tif 000017
【図２Ｇ】
2019516246.tif 000018
【図２Ｈ】
2019516246.tif 000019
【図２Ｉ】
2019516246.tif 000020
【図３Ａ】
2019516246.tif 000021
【図３Ｂ】
2019516246.tif 000022
【図４】
2019516246.tif 000023
【図５Ａ】
2019516246.tif 000024
【図５Ｂ】
2019516246.tif 000025
【図５Ｃ】
2019516246.tif 000026
【図５Ｄ】
2019516246.tif 000027
【図６Ａ】
2019516246.tif 000028
【図６Ｂ】
2019516246.tif 000029
【図６Ｃ】
2019516246.tif 000030
【図６Ｄ】
2019516246.tif 000031
【図７Ａ】
2019516246.tif 000032
【図７Ｂ】
2019516246.tif 000033
【図７Ｃ】
2019516246.tif 000034
【図８】
2019516246.tif 000035
【図９】
2019516246.tif 000036
【図１０Ａ】
2019516246.tif 000037
【図１０Ｂ】
2019516246.tif 000038
【国際調査報告】
2019516246.tif 000039